(57)【要約】【課題】ストッパの着脱、移動を極めて容易に行え、疲労破損しにくく、長期にわたって使用できるストッパポケットを備えたかつらを提供する。【解決手段】ベース部を弧状に反転動作させて、挟持部により自毛を挟持するストッパ３０を保持するためのストッパポケット２０を備えたかつらであって、ストッパポケット２０は、かつらベース１０の裏面外側に設けられたワイドバンド２１と、かつらベース１０の裏面内側に設けられたナローバンド２２と、を含み、ワイドバンド２１は、ナローバンド２２よりも広い短手方向の幅を有し、外周縁が閉鎖されるとともに内周縁が開口され、少なくともストッパ３０の後部を収容することが可能な深さのポケットを形成し、ナローバンド２２は、ワイドバンド２１の内周縁に沿って設けられ、少なくともストッパ３０の左右方向の幅を超える間隔をあけて複数個所で固定され、非固定の部分がストッパ３０の挟持部によって挟持される。【選択図】図１
2018150643.tif 000002
【特許請求の範囲】
【請求項１】
ベース部を弧状に反転動作させて、挟持部により自毛を挟持するストッパを保持するためのストッパポケットを備えたかつらであって、
前記ストッパポケットは、かつらベースの裏面外側に設けられたワイドバンドと、前記かつらベースの裏面内側に設けられたナローバンドと、を含み、
前記ワイドバンドは、前記ナローバンドよりも広い短手方向の幅を有し、外周縁が閉鎖されるとともに内周縁が開口され、少なくとも前記ストッパの後部を収容することが可能な深さのポケットを形成し、
前記ナローバンドは、前記ワイドバンドの内周縁に沿って設けられ、少なくとも前記ストッパの左右方向の幅を超える間隔をあけて複数個所で固定され、非固定の部分が前記ストッパの前記挟持部によって挟持される、ことを特徴とするかつら。
【請求項２】
前記ワイドバンドが、前記かつらベースを構成するネット状素材の外周部分を裏面側に折り返して設けられた請求項１に記載のかつら。
【請求項３】
前記ワイドバンドが、前記かつらベースとは別のネット状素材によって構成され、前記かつらベースの裏面外側に設けられた請求項１に記載のかつら。
【請求項４】
前記ネット状素材を構成する糸が、透かし模様を形成する請求項３に記載のかつら。
【請求項５】
前記ナローバンドが、前記ワイドバンドよりも狭い短手方向の幅を有する帯又は紐によって構成され、前記ワイドバンドの内周縁に沿って設けられた請求項１〜４のいずれか１項に記載のかつら。
【請求項６】
前記ナローバンドを構成する帯又は紐がリボンであり、前記リボンを構成する糸が、透かし模様を形成する請求項５に記載のかつら。
【請求項７】
前記ナローバンドの短手方向の幅を２〜１０ｍｍの範囲内とした請求項１〜６のいずれか１項に記載のかつら。
【請求項８】
前記ナローバンドの厚さを０．２〜３ｍｍの範囲内とした請求項１〜７のいずれか１項に記載のかつら。
【発明の詳細な説明】
【技術分野】
【０００１】
本発明は、ベース部を弧状に反転動作させて、挟持部により自毛を挟持するストッパを保持するためのストッパポケットを備えたかつらに関する。
【背景技術】
【０００２】
一般的なかつらは、長期装着型と短期装着型とに大きく分類される。このうち短期装着型のかつらには、かつらベースに設けた反転式のストッパ（ヘアピン）で装着者の自毛に固定するストッパ方式を採用したものがある。ストッパ方式のかつらは、装着者自身で簡単に着脱することができるというメリットがある。
【０００３】
従来のストッパ方式のかつらとして、例えば、特許文献１（特開平１１−６１５３８号公報）の図１には、かつら本体１の内面の外周縁に、帯状部材１ａを横長袋状に取り付けるとともに、保持具（ストッパ）２を挟着させる必要数の切り込み１ｂを横長に設けた構成のかつらが開示されている。
【０００４】
保持具２は、櫛歯状の細長突片（挟持部）２ｃを有し、細長突片２ｃ以外の部分が、切り込み１ｂを介して帯状部材１ａの中に収容される。切り込み１ｂの長さの範囲内で、保持具２の取り付け位置を変更することが可能である。
【先行技術文献】
【特許文献】
【０００５】
【特許文献１】特開平１１−６１５３８号公報
【発明の概要】
【発明が解決しようとする課題】
【０００６】
＜保持具取付の手間＞
しかし、上述した特許文献１のかつらは、保持具２を帯状部材１ａの中に収容するときに、切り込み１ｂを構成する帯状部材１ａの対向する二つの縁部を捲らなければならず、保持具２の取り付けに手間が掛かるという問題があった。
【０００７】
すなわち、帯状部材１ａは、合成ゴム、合成皮革又は布地等の薄い素材で構成されており、この薄い素材に切り込み１ｂが設けられている。切り込み１ｂを構成する帯状部材１ａの二つの縁部は、隙間なく対向しており、一方の縁部を指の腹で捕えて捲ることが難しい。このため、切り込み１ｂをスムーズに開口させることができず、必要数の保持具２の取り付けに手間が掛かる。
【０００８】
また、特許文献１の図３に示されているように、切り込み１ｂを境にして、帯状部材１ａの外側部分に保持具２の後部（上方脚片２ａ）を収容し、帯状部材１ａの内側部分に保持具２の前部（下方脚片２ｂ）を収容する構成になっていた。このため、一つの保持具２を取り付けるのに、帯状部材１ａの一方の縁部を捲って保持具２の前部を収容する工程と、帯状部材１ａの他方の縁部を捲って保持具２の後部を収容する工程とを経て、最後に、二つの縁部の捲れ具合を整える工程とが必要であった。
【０００９】
＜帯状部材の疲労破損＞
上述したように、帯状部材１ａは、合成ゴム、合成皮革又は布地等の薄い素材で構成されている。そして、切り込み１ｂを開口させるときに、帯状部材１ａの対向する二つの縁部を指で捲ることが難しい。この結果、切り込み１ｂを構成する二つの縁部のところで、帯状部材１ａの薄い素材が疲労破損しやすいという問題があった。
【００１０】
＜かつらが自毛に馴染まない＞
上述したように、帯状部材１ａは、保持具２の前部及び後部（上方脚片２ａ及び下方脚片２ｂ）を、両方とも帯状部材１ａの中に収容する構成になっていた。このため、帯状部材１ａの短手方向の幅が広くなりすぎる。幅の広い帯状部材１ａが、かつらの毛髪と、装着者の自毛との境界に位置することで、毛髪と自毛とが良好に馴染まない（混ざり合わない）という問題があった。
【００１１】
＜良好な装着感が得られない＞
帯状部材１ａは、切り込み１ｂを境にして、内側部分の短手方向の幅が広すぎる。つまり、帯状部材１ａの内側部分は、保持具２の前部（下方脚片２ｂ）を全て覆い、さらに、細長突片２ｃの先端を超える幅を有している。このため、保持具２は、帯状部材１ａの内側部分とともに装着者の自毛を挟持する。帯状部材１ａの内側部分の厚さ分だけ、保持具２の挟持力が強くなり、これが自毛と頭皮とに負担を与え、良好な装着感が得られない。
【００１２】
＜かつら裏面の意匠に寄与しない＞
かつらの表面は、かつらベースに植毛された毛髪によってヘアスタイルが形成されるので、ヘアスタイルに無関係な装飾などにより意匠を凝らすことができない。一方、かつらの裏面は、装着者だけが見ることのできる面であり、かつらの購入や使用に際し、装着者の目を引く面であると言える。例えば、かつらの裏面の意匠を凝らすことにより、高級感や女性らしさなどをイメージさせる外観を創ることが可能である。しかし、特許文献１のかつらは、幅の広い帯状部材１ａを、かつら本体１の裏面外周に沿って設けただけの構成であり、帯状部材１ａは、かつらの裏面の意匠に何ら寄与するものではない。
【００１３】
＜発明の目的＞
本発明のかつらは、上記問題点に鑑みてなされてものであり、下記ａ）〜ｅ）の目的を達成することが可能な構成のストッパポケットを提供する。
ａ）ストッパの着脱、移動を極めて容易に行える。
ｂ）疲労破損しにくく、長期にわたって使用できる。
ｃ）短手方向の幅が狭く、かつらの毛髪と自毛との馴染みに影響を与えない。
ｄ）ストッパの挟持力に与える影響を少なくし、良好な装着感が得られる。
ｅ）かつら裏面の意匠を向上させることができる。
【課題を解決するための手段】
【００１４】
（１）上記目的を達成するため、本発明のかつらは、ベース部を弧状に反転動作させて、挟持部により自毛を挟持するストッパを保持するためのストッパポケットを備えたかつらであって、前記ストッパポケットは、かつらベースの裏面外側に設けられたワイドバンドと、前記かつらベースの裏面内側に設けられたナローバンドと、を含み、前記ワイドバンドは、前記ナローバンドよりも広い短手方向の幅を有し、外周縁が閉鎖されるとともに内周縁が開口され、少なくとも前記ストッパの後部を収容することが可能な深さのポケットを形成し、前記ナローバンドは、前記ワイドバンドの内周縁に沿って設けられ、少なくとも前記ストッパの左右方向の幅を超える間隔をあけて複数個所で固定され、非固定の部分が前記ストッパの前記挟持部によって挟持される構成としてある。
【００１５】
（２）好ましくは、上記（１）のかつらにおいて、前記ワイドバンドが、前記かつらベースを構成するネット状素材の外周部分を裏面側に折り返して設けられた構成にする。
【００１６】
（３）好ましくは、上記（１）のかつらにおいて、前記ワイドバンドが、前記かつらベースとは別のネット状素材によって構成され、前記かつらベースの裏面外側に設けられた構成にする。
【００１７】
（４）好ましくは、上記（３）のかつらにおいて、前記ネット状素材を構成する糸が、透かし模様を形成する構成にする。
【００１８】
（５）好ましくは、上記（１）〜（４）のいずれかのかつらにおいて、前記ナローバンドが、前記ワイドバンドよりも狭い短手方向の幅を有する帯又は紐によって構成され、前記ワイドバンドの内周縁に沿って設けられた構成にする。
【００１９】
（６）好ましくは、上記（５）のかつらにおいて、前記ナローバンドを構成する帯又は紐がリボンであり、前記リボンを構成する糸が、透かし模様を形成する構成にする。
【００２０】
（７）好ましくは、上記（１）〜（６）のいずれかのかつらにおいて、前記ナローバンドの短手方向の幅を２〜１０ｍｍの範囲内とした構成にする。
【００２１】
（８）好ましくは、上記（１）〜（７）のいずれかのかつらにおいて、前記ナローバンドの厚さを０．２〜３ｍｍの範囲内とした構成にする。
【発明の効果】
【００２２】
第一に、本発明のかつらによれば、ストッパの着脱、移動を極めて容易に行うことができる。すなわち、本発明のかつらが備えるストッパポケットでは、ワイドバンドが、内周縁が開口されたポケットを形成する。ストッパは、ワイドバンドの内周縁と、かつらベースの裏面との間に挿し込むだけで、ポケットの中に収容される。また、ストッパにナローバンドの非固定の部分を挟持させることで、ストッパがポケットの中に保持され、任意の位置に位置決めされる。このような構成によって、ストッパポケットへのストッパの着脱は、極めて容易なものとなる。また、ストッパの挟持を解除するだけで、ポケットの中に収容されたストッパを、そのままナローバンドに沿って自由に移動させることが可能である。
【００２３】
第二に、本発明のかつらが備えるストッパポケットは、疲労破損しにくく、長期にわたって使用できる。すなわち、ワイドバンドの内周縁が開口されているので、内周縁を無理に捲らなくとも、ポケットの中にストッパを容易に挿し込むことができる。また、ナローバンドの非固定の部分は、かつらベース及びワイドバンドの両方に対して自由状態となっており、何ら捲ることなく、ストッパに挟持させることが可能である。このように、ストッパの着脱、移動に際し、ワイドバンド及びナローバンドの素材に加えられる物理的な負担が少ない。この結果、ストッパポケットが疲労破損しにくくなり、長期にわたって使用することが可能となる。
【００２４】
第三に、本発明のかつらが備えるストッパポケットは、短手方向の幅が狭く、かつらの毛髪と自毛との馴染みに影響を与えない。すなわち、ワイドバンドの短手方向の幅は、少なくとも前記ストッパの後部を収容することが可能な大きさであればよい。また、ナローバンドの短手方向の幅は、ワイドバンドの短手方向の幅よりも狭く、ストッパの挟持部によって挟持することが可能な大きさであればよい。このようなワイドバンドとナローバンドとで構成されるストッパポケットは、その短手方向の幅が必然的に狭くなり、かつらの毛髪と自毛との馴染みに影響を与えない。
【００２５】
第四に、本発明のかつらが備えるストッパポケットは、ストッパの挟持力に与える影響が少なく、良好な装着感が得られる。すなわち、ストッパポケットは、ナローバンドの短手方向の幅を極めて狭くすることができ、これにより、ストッパの挟持部に挟持されるナローバンドの面積が極めて小さくなる。ナローバンドの面積が小さくなるほど、ストッパの挟持力に影響を与えるも少なくなり、良好な装着感が得られる。
【００２６】
第五に、本発明のかつらが備えるストッパポケットは、かつら裏面の意匠を向上させることができる。すなわち、ワイドバンド及びナローバンドは、透かし模様やリボンなどの装飾された帯や紐で構成することができる。装飾されたワイドバンド及びナローバンドは、かつらの裏面外周を美しく飾り、かつらの付加価値を高める。
【図面の簡単な説明】
【００２７】
【図１】本発明の実施形態に係るかつらを構成するかつらベースの裏面図である。
【図２】図２（ａ）はストッパの全体を示す平面図、図２（ｂ）はストッパポケットの一部を示す平面図、図２（ｃ）、（ｄ）はストッパポケットにストッパを保持させる手順を示す平面図である。
【図３】図２（ｄ）のＡ−Ａ線断面図である。
【発明を実施するための形態】
【００２８】
以下、本発明の実施形態に係るかつらについて、図面を参照しつつ説明する。以下に説明する本実施形態のかつらは、ベース部を弧状に反転動作させて、挟持部により自毛を挟持するストッパを保持するためのストッパポケットの構成に特徴がある。
【００２９】
＜かつらの全体構成＞
図１に示すように、本実施形態のかつら１は、主として、ネット状素材からなるかつらベース１０に、人工毛又は人毛である毛髪を結着し、表面側に引き出した構成となっている。説明の便宜上、かつらベース１０に結着された毛髪の図示は省略する。かつらベース１０の前部には、装着者の額の生え際に対応する人工皮膚１１が配設してある。
【００３０】
かつらベース１０の裏面外周のうち、前部を除く両側部から後部に亘る範囲Ｓには、一連のストッパポケット２０が設けられている。ストッパポケット２０は、かつらベース１０の裏面外側に位置するワイドバンド２１と、かつらベース１０の裏面内側に位置するナローバンド２２とで構成されている。ストッパポケット２０の異なる位置に、複数のストッパ３０が保持されている。
【００３１】
＜かつらベース＞
図１において、かつらベース１０は、装着者の頭部に合わせた椀状のネット状素材で構成してある。ネット状素材は、成型性及び耐熱性等に優れたナイロン、ポリエステル、アクリルなどの合成樹脂で構成されたものが好ましい。但し、綿、麻、絹等の天然繊維で構成されたネット状素材を用いてもよい。
【００３２】
かつらベース１０を構成するネット状素材の色は、これに結着する毛髪の色と近似した黒色、茶色又は白色などにするとよい。これにより、かつらベース１０に結着した毛髪の結び目が目立たなくなる効果がある。また、かつらベース１０を構成するネット状部材のうち、少なくとも人工皮膚１１に対応する箇所の色を肌色にしてもよい。
【００３３】
＜毛髪＞
かつらベース１０に結着する毛髪は、人工毛又は人毛のいずれを用いてもよい。人工毛の素材としては、例えば、ポリエステル、ナイロン、アクリル又は塩化ビニル系の合成繊維が用いられる。毛髪の太さは、例えば、細い毛髪として約０．０３又は０．０４ｍｍ程度、太い毛髪として約０．０５〜０．１０ｍｍ程度のものが用いられる。また、毛髪の強度の指標としては、例えば、かつらベース１０に結着する前の直線状態のときの引っ張り強度で約０．８０Ｎ以上、かつらベース１０に結着した状態の引っ張り強度で約０．６０Ｎ以上のものが好ましい。
【００３４】
＜人工皮膚＞
図１において、人工皮膚１１は、例えば、ポリウレタンやシリコーン等の合成樹脂からなる肌色のフィルム又はシート、若しくはナイロン、ポリエステル、アクリル等の合成繊維、綿、麻、絹等の天然繊維からなる目の細かい肌色の織布（メッシュ又はネットを含む）により構成してある。
【００３５】
人工皮膚１１は、その周縁部をかつらベース１０に縫着されており、毛髪の生え際の部分で地肌のように見える役割を果たす。人工皮膚１１に、合成樹脂製のフィルム又はシートを用いた場合は、人間の頭皮の質感をリアルに再現することができ、見た目がより自然となる。一方、合成繊維又は天然繊維の織布を用いた場合は、かつら１の通気性が良好となり、耐久性が向上する利点がある。
【００３６】
＜ストッパ＞
図２（ａ）に示すストッパ３０は、本実施形態のストッパポケット２０によって保持することが可能な種々のストッパのうちの一例である。説明の便宜上、図２（ａ）中にストッパ３０の前、後、左、右の各方向を片矢印で示す。
【００３７】
ストッパ３０は、弧状に反転動作可能なベース部３１を備える。ベース部３１の前部には、滑り止めのためのラバー３２が設けられている。一方、ベース部３１の後部には、櫛歯状の挟持部３３が一体的に設けられている。この挟持部３３は、ベース部３１の反転動作によって、ラバー３２に圧接した状態、又はラバー３２から離反した状態になる。挟持部３３は、ラバー３２に圧接した状態となったときに装着者の自毛を挟持する。
【００３８】
なお、図１に示すストッパ３０の数、位置は例示であり、実際は、装着者の頭部にかつら１を保持するのに十分な数のストッパ３０を、ストッパポケット２０の適切な位置に保持させればよい。
【００３９】
＜ストッパポケット＞
既に述べたとおり、本実施形態のストッパポケット２０は、ワイドバンド２１とナローバンド２２とで構成されている。図１に示すように、ワイドバンド２１とナローバンド２２とは、かつらベース１０の裏面外周の範囲Ｓに互いに平行に設けられている。図２（ｂ）は、図１に示すワイドバンド２１及びナローバンド２２を部分的に拡大した平面図である。説明の便宜上、図２（ｂ）中にかつらベース１０の外、内の各方向を片矢印で示す。
【００４０】
＜＜ワイドバンド＞＞
図２（ｂ）に示すように、ワイドバンド２１は、ナローバンド２２よりも広い短手方向の幅Ｗ１を有する。ワイドバンド２１の短手方向の幅Ｗ１は、特に限定されるものではないが、図２（ａ）に示すストッパ３０のベース部３１の後部の幅Ｗ３と同等であることが好ましい（Ｗ１≒Ｗ３）。これにより、ワイドバンド２１の短手方向の幅Ｗ１は、ストッパ３０を保持するのに必要十分な寸法となる。ワイドバンド２１の短手方向の幅Ｗ１が狭くなる程、かつら１の毛髪と自毛との馴染み（混ざり合い）が良好になる。
【００４１】
ワイドバンド２１は、例えば、かつらベース１０とは別のネット状素材によって構成される。本実施形態では、ワイドバンド２１として、レース編みのように、糸が透かし模様２１ｃを形成するネット状素材を用いている。透かし模様２１ｃが形成されたワイドバンド２１は、ストッパ３０を保持する機能に加えて、かつらベース１０の裏面外周を美しく飾る装飾としての機能を発揮する。具体的には、透かし模様２１ｃが形成されたワイドバンド２１は、かつらベース１０の裏面の外観に高級感や女性らしさのイメージを与える。
【００４２】
なお、本実施形態の装飾的な外観を有するワイドバンド２１は、天然繊維又は合成繊維の糸で編まれたネット状素材で構成してもよいし、糸で編まれたように樹脂成形されたネット状素材で構成しもよい。
【００４３】
図１及び図２（ｂ）に示すように、ワイドバンド２１の外周縁２１ａは、範囲Ｓに亘る縫い目２３により、かつらベース１０の裏面外周に沿って縫着されている。一方、ワイドバンド２１の内周縁２１ｂは、かつらベース１０の裏面に対して自由状態となっており、範囲Ｓに亘って開口している。これにより、ワイドバンド２１は、ストッパ３０の後部（図２（ａ）の幅Ｗ３）を収容することが可能な深さのポケットを形成する。
【００４４】
なお、かつら１の構成を簡略化するために、かつらベース１０を構成するネット状素材の外周部分を裏面側に折り返すことにより、上述したものと同等のワイドバンド２１を構成してもよい。このような構成とした場合は、ストッパポケット２０の部品点数を、ナローバンド２２の１つだけにすることができる。
【００４５】
＜＜ナローバンド＞＞
図２（ｂ）に示すように、ナローバンド２２は、ワイドバンド２１よりも狭い短手方向の幅Ｗ２を有する。ナローバンド２２の短手方向の幅Ｗ２は、ワイドバンド２１よりも狭いこと以外に、特に限定されるものではないが、図２（ａ）に示すストッパ３０のベース部３１の挟持部３３の付け根からラバー３２までの幅Ｗ４の範囲内であることが好ましい（Ｗ２≦Ｗ４）。すなわち、ナローバンド２２の短手方向の幅Ｗ２の上限は、挟持部３３とラバー３２との接触を妨げない寸法であることが好ましい。一方、ナローバンド２２の短手方向の幅Ｗ２の下限は、少なくとも挟持部３３によって挟持可能な寸法であることが好ましい。ストッパ３０の一般的な大きさの範囲を基準とすると、ナローバンド２２の短手方向の幅Ｗ２は、２〜１０ｍｍの範囲内が好ましく、５ｍｍ程度が特に好ましい。ナローバンド２２の短手方向の幅Ｗ２が狭くなる程、かつら１の毛髪と自毛との馴染みが良好になる。
【００４６】
また、ナローバンド２２の厚さの上限は、離反した挟持部３３とラバー３２との間をスムーズに通過させることが可能な寸法であることが好ましい。一方、ナローバンド２２の厚さの下限は、少なくとも挟持部３３によって挟持可能な寸法であることが好ましい。つまり、ナローバンド２２の厚さが薄すぎて、これを挟持したストッパ３０が自由に移動してしまうことは好ましくない。ストッパ３０の一般的な大きさの範囲を基準とすると、ナローバンド２２の厚さは、０．２〜３ｍｍの範囲内が好ましく、０．６ｍｍ程度が特に好ましい。
【００４７】
本実施形態では、ナローバンド２２として、レースリボンを用いている。レースリボンを構成する糸は、透かし模様２２ａを形成する。また、レースリボンの長手方向の縁に沿って、略半円形の小さな糸飾り２２ｂが並んで設けてある。このようなレースリボンからなるナローバンド２２は、ストッパ３０を保持する機能に加えて、かつらベース１０の裏面外周を美しく飾る装飾としての機能を発揮する。具体的には、レースリボンからなるナローバンド２２は、かつらベース１０の裏面の外観に高級感や女性らしさのイメージを与える。
【００４８】
なお、本実施形態の装飾的な外観を有するナローバンド２２は、天然繊維又は合成繊維の糸で編まれたネット状素材で構成してもよいし、糸で編まれたように樹脂成形されたネット状素材で構成してもよい。
【００４９】
図１及び図２（ｂ）に示すように、ナローバンド２２は、ワイドバンド２１の内周縁２１ｂに沿って配置され、例えば、図１中の×印を付けた箇所で、ワイドバンド２１に縫着されている。したがって、本実施形態のナローバンド２２は、ワイドバンド２１の内周縁２１ｂとともに、かつらベース１０の裏面に対して自由状態となっている。さらに、ワイドバンド２１に縫着されていない、ナローバンド２２の非固定の部分は、ワイドバンド２１の内周縁２１ｂに対しても自由状態となっており、当該部分がストッパ３０の挟持部３３によって挟持される。
【００５０】
＜ストッパの取付手順＞
次に、本実施形態のストッパポケット２０へのストッパ３０の取付手順について、図２（ｃ）、（ｄ）及び図３を参照しつつ説明する。
【００５１】
まず、ストッパ３０のベース部３１を弧状に反転動作させ、挟持部３３を開いた状態にさせてラバー３２から離反させる。次いで、図２（ｃ）に示すように、ナローバンド２２の非固定の部分を、離反した挟持部３３とラバー３２との間に挿し込み、挟持部３３の付け根に位置させる。この状態で、ストッパ３０のベース部３１を弧状に反転動作させ、ナローバンド２２の非固定の部分を挟持部３３に挟持させる。その後、図２（ｄ）に示すように、ストッパ３０のベース部３１の後部を、ワイドバンド２１の内周縁２１ｂと、かつらベース１０の裏面との間に挿し込み、ワイドバンド２１によって形成されたポケットの中に収容させる。以上の手順により、ストッパポケット２０へのストッパ３０の取り付けが完了する（図３を参照）。
【００５２】
上述した取付手順は、好ましい実施形態の一つであり、ナローバンド２２の所望する位置にストッパ３０を挟持させた後、ストッパ３０の後部を、ワイドバンド２１によって形成されたポケットの中に挿し込むだけで取り付けが完了する。このように、極めて効率よく簡単に、ストッパ３０をストッパポケット２０に取り付けることができる。
【００５３】
また、ストッパポケット２０に取り付けたストッパ３０の位置を変更させる場合は、挟持部３３を開いた状態にさせることで、ストッパ３０をナローバンド２２に沿って任意の位置に移動させることができる。
【００５４】
さらに、ストッパポケット２０からストッパ３０を取り外す場合は、ナローバンド２２を挟持させたまま、ストッパ３０をかつらベース１０の内側の方向に移動させれば、ストッパ３０の後部をワイドバンド２１の外に出すことが可能である（図２（ｃ）を参照）。その後、挟持部３３を開いた状態にさせることで、ストッパ３０をナローバンド２２から取り外すことができる。
【００５５】
＜作用効果＞
第一に、本実施形態のストッパポケット２０によれば、ストッパ３０の着脱、移動を極めて容易に行うことができる。上述したように、ワイドバンド２１は、内周縁２１ｂが開口されたポケットを形成する。ストッパ３０は、ワイドバンド２１の内周縁２１ｂと、かつらベース１０の裏面との間に挿し込むだけで、ポケットの中に収容される。また、ストッパ３０にナローバンド２２の非固定の部分を挟持させることで、ストッパ３０がポケットの中に保持され、任意の位置に位置決めされる。このような構成によって、ストッパポケット２０へのストッパ３０の着脱は、極めて容易なものとなる。また、ストッパの３０挟持を解除するだけで、ポケットの中に収容されたストッパ３０を、そのままナローバンド２２に沿って自由に移動させることが可能である。
【００５６】
第二に、本実施形態のストッパポケット２０は、疲労破損しにくく、長期にわたって使用できる。すなわち、ワイドバンド２１の内周縁２１ｂが開口されているので、内周縁２１ｂを無理に捲らなくとも、ポケットの中にストッパ３０を容易に挿し込むことができる。また、ナローバンド２２の非固定の部分は、かつらベース１０及びワイドバンド２１の両方に対して自由状態となっており、何ら捲ることなく、ストッパ３０に挟持させることが可能である。このように、ストッパ３０の着脱、移動に際し、ワイドバンド２１及びナローバンド２２の素材に加えられる物理的な負担が少ない。この結果、ストッパポケット２０が疲労破損しにくくなり、長期にわたって使用することが可能となる。
【００５７】
第三に、本発実施形態のストッパポケット２０は、短手方向の幅（Ｗ１＋Ｗ２）が狭く、かつら１の毛髪と自毛との馴染みに影響を与えない。すなわち、ワイドバンド２１の短手方向の幅Ｗ１は、少なくともストッパ３０の後部を収容することが可能な大きさであればよい。また、ナローバンド２２の短手方向の幅Ｗ２は、ワイドバンド２１の短手方向の幅Ｗ１よりも狭く、ストッパ３０の挟持部３３によって挟持することが可能な大きさであればよい。このようなワイドバンド２１とナローバンド２２とで構成されるストッパポケット２０は、その短手方向の幅（Ｗ１＋Ｗ２）が必然的に狭くなり、かつら１の毛髪と自毛との馴染みに影響を与えない。
【００５８】
第四に、本実施形態のストッパポケット２０は、ストッパ３０の挟持力に与える影響が少なく、良好な装着感が得られる。すなわち、ストッパポケット２０は、ナローバンド２２の短手方向の幅Ｗ２を極めて狭くすることができ、これにより、ストッパ３０の挟持部３３に挟持されるナローバンド２２の面積が極めて小さくなる。ナローバンド２２の面積が小さくなるほど、ストッパ３０の挟持力に影響を与えるも少なくなり、良好な装着感が得られる。
【００５９】
第五に、本実施形態のストッパポケット２０は、かつら１の裏面の意匠を向上させることができる。上述したように、ワイドバンド２１及びナローバンド２２は、透かし模様やレースリボンなどの装飾された帯や紐で構成することができる。装飾されたワイドバンド２１及びナローバンド２２は、かつらベース１０の裏面外周を美しく飾り、かつら１の付加価値を高める。
【００６０】
＜その他の変更＞
本発明のかつらに備えられるストッパポケットは、上述した実施形態に限定されるものではない。例えば、女性用のかつらの場合は、ワイドバンド及びナローバンドが装飾的であることが好ましいが、男性用のかつらの場合は、ワイドバンド及びナローバンドが装飾的でなくてもよい。また、ナローバンドは、ワイドバンドではなく、かつらベースの複数個所に縫着してもよい。さらに、本発明のストッパポケットは、全体かつらに限らず、部分かつらに適用することも可能である。
【符号の説明】
【００６１】
１  かつら
１０  かつらベース
１１  人工皮膚
２０  ストッパポケット
２１  ワイドバンド（ネット状素材）
２１ａ  外周縁
２１ｂ  内周縁
２１ｃ  透かし模様
２２  ナローバンド（レースリボン）
２２ａ  透かし模様
２２ｂ  糸飾り
２３  縫い目
３０  ストッパ
３１  ベース部
３２  ラバー
３３  挟持部
Ｓ  移動可能範囲
Ｗ１  ワイドバンドの短手方向の幅
Ｗ２  ナローバンドの短手方向の幅
Ｗ３  ベース部の後部の幅
Ｗ４  挟持部の付け根からラバーまでの幅
【図１】
2018150643.tif 000003
【図２】
2018150643.tif 000004
【図３】
2018150643.tif 000005